(57)【特許請求の範囲】
【請求項１】
流体の流量又は圧力の指令値を出力する指令部（9）と、上記指令部（9）により出力された指令値に基づいて、開度目標値を算出する開度制御部（10）と、流体が流れる流路（2）に設けられ、かつ上記開度目標値に応じて開閉する電動弁（7）とを備えた流路制御システム(1)に設けられる水力発電システムであって、
上記流路（2）に上記電動弁（7）と直列又は並列に配置された水車（15）と、
上記水車（15）によって駆動される発電機（16）と、
上記電動弁（7）の実際の開度の測定値、又は上記発電機（16）のトルク及び回転数のうちの少なくとも一方に基づいて推定された開度を示す開度情報を参照して、上記発電機（16）のトルク及び回転数の少なくとも一方を制御する発電機制御部(17)とを備えていることを特徴とする水力発電システム。
【請求項２】
請求項１に記載の水力発電システムにおいて、
上記流路（2）には、上記流路（2）を流れる流体の流量又は圧力を測定するセンサ(8)が上記電動弁（7）及び水車（15）と直列に配置され、
上記指令部（9）は、上記センサ(8)の測定値に基づいて、当該センサ(8)の測定値が所望値となるように上記指令値を算出することを特徴とする水力発電システム。
【請求項３】
請求項１又は２に記載の水力発電システムにおいて、
上記指令部（9）は、上記指令値を上記発電機制御部（17）に直接送信しないことを特徴とする水力発電システム。
【請求項４】
請求項１〜３のいずれか１項に記載の水力発電システムにおいて、
上記流路（2）には、上記流路（2）を流れる流体の流量又は圧力を測定するセンサ(8)が上記電動弁（7）及び水車（15）と直列に配置され、
上記指令部（9）は、上記センサ(8)の測定値に基づいて、当該センサ(8)の測定値が所望値となるように上記指令値を算出し、
上記発電機制御部(17)は、上記開度情報により示される開度が、０％を超える第１閾値以上であって、かつ１００％未満の第２閾値以下となるように、上記発電機（16）のトルク及び回転数の少なくとも一方を制御することを特徴とする水力発電システム。
【請求項５】
請求項４に記載の水力発電システムにおいて、
上記センサ(8)は、上記流路（2）を流れる流体の流量を測定し、
上記発電機制御部(17)は、上記開度情報により示される開度が、上記第１閾値未満である場合には、上記水車（15）の流量を減少させるようにする一方、上記開度情報により示される開度が、上記第２閾値を超える場合には、上記水車（15）の流量を増大させるように、上記発電機（16）のトルク及び回転数の少なくとも一方を制御することを特徴とする水力発電システム。
【請求項６】
請求項４に記載の水力発電システムにおいて、
上記センサ(8)は、上記流路（2）を流れる流体の流量を測定し、
上記発電機制御部(17)は、上記開度情報により示される開度が、上記第１閾値未満である場合には、上記水車（15）の有効落差を増大させるようにする一方、上記開度情報により示される開度が、上記第２閾値を超える場合には、上記水車（15）の有効落差を減少させるように、上記発電機（16）のトルク及び回転数の少なくとも一方を制御することを特徴とする水力発電システム。
【請求項７】
請求項１〜６のいずれか１項に記載の水力発電システムにおいて、
上記流路（2）には、上記流路（2）を流れる流体の流量を測定する流量センサ（8）が上記電動弁（7）及び水車（15）と直列に配置され、
上記水車（15）は、上記電動弁（7）と並列に配置され、
上記開度情報に示される開度は、上記発電機（16）のトルク及び回転数のうちの少なくとも一方と、上記流量センサ（8）の測定値とに基づいて推定されることを特徴とする水力発電システム。
【請求項８】
請求項１〜７のいずれか１項に記載の水力発電システムにおいて、
上記流路（2）には、上記流路（2）を流れる流体の流量を測定する流量センサ（8）が上記電動弁（7）及び水車（15）と直列に配置され、
上記指令部（9）は、上記流量センサ（8）の測定値に基づいて、当該流量センサ（8）の測定値が所望値となるように上記指令値を算出し、
上記発電機（16）のトルク及び回転数の少なくとも一方の変化による流量変化の速度が、上記電動弁（7）の開閉による流量変化の速度よりも遅いことを特徴とする水力発電システム。
【請求項９】
請求項１〜７のいずれか１項に記載の水力発電システムにおいて、
上記流路（2）には、上記流路（2）を流れる流体の圧力を測定する圧力センサ(8)が上記電動弁（7）及び水車（15）と直列に配置され、
上記指令部（9）は、上記圧力センサ(8)の測定値に基づいて、上記圧力センサ(8)の測定値が所望値となるように上記指令値を算出し、
上記発電機（16）のトルク及び回転数の少なくとも一方の変化による流体の圧力変化の速度が、上記電動弁（7）の開閉による流体の圧力変化の速度よりも遅いことを特徴とする水力発電システム。
【請求項１０】
流体の流量又は圧力の指令値を出力する指令部（9）と、
上記指令部（9）により出力された指令値に基づいて、開度目標値を算出する開度制御部（10）と、
流体が流れる流路（2）に設けられ、かつ上記開度目標値に応じて開閉する電動弁（7）と、
上記流路（2）に上記電動弁（7）と直列又は並列に配置された水車（15）と、
上記水車（15）によって駆動される発電機（16）とを備えた流路制御システムにおいて、
上記電動弁（7）の実際の開度の測定値、又は上記発電機（16）のトルク及び回転数のうちの少なくとも一方に基づいて推定された開度を示す開度情報を参照して、上記発電機（16）のトルク及び回転数の少なくとも一方を制御することを特徴とする発電機制御方法。
【発明の詳細な説明】
【技術分野】
【０００１】
本発明は、水力発電システム及び発電機制御方法に関するものである。
【背景技術】
【０００２】
流路を流れる水等の流体によって発電を行う水力発電システムがある。例えば、特許文献１に開示の水力発電システムは、水車と、水車に接続された発電機と、発電機に発生させるトルクを制御する発電機制御部とを備えている。この水力発電システムでは、流体によって水車が回転駆動されると、水車に接続される発電機が駆動される。また、発電機に発生させるトルクの制御によって流体の流量又は圧力が制御される。
【先行技術文献】
【特許文献】
【０００３】
【特許文献１】特開２０１４−２１４７１０号公報
【発明の概要】
【発明が解決しようとする課題】
【０００４】
ところで、流体の流量又は圧力の指令値を出力する指令部と、上記指令部により出力された指令値に基づいて、開度目標値を算出する開度制御部と、流体が流れる流路に設けられ、かつ上記開度目標値に応じて開閉する電動弁とを備えた流路制御システムに、特許文献１のような水力発電システムを導入することが考えられる。すなわち、水力発電システムの水車を、上記電動弁と直列又は並列となるように上記流路に配置することが考えられる。ここで、水車の流量制御に上記指令値を反映させるために、指令部から発電機制御部に指令値が電気配線によって送信されるようにすることが考えられる。しかし、このようにするには、指令部と発電機制御部とを電気配線で接続する必要があるので、電気配線の工事費が嵩む。かかる問題は、指令部を地上に配置し、かつ発電機制御部を地下に配置した場合や、発電機制御部を指令部から遠くに配置した場合に、特に顕著になる。
【０００５】
本発明の目的は、電気配線の工事費を削減することにある。
【課題を解決するための手段】
【０００６】
第１の態様は、流体の流量又は圧力の指令値を出力する指令部（9）と、上記指令部（9）により出力された指令値に基づいて、開度目標値を算出する開度制御部（10）と、流体が流れる流路（2）に設けられ、かつ上記開度目標値に応じて開閉する電動弁（7）とを備えた流路制御システム（1）に設けられる水力発電システムであって、上記流路（2）に上記電動弁（7）と直列又は並列に配置された水車（15）と、上記水車（15）によって駆動される発電機（16）と、上記電動弁（7）の実際の開度の測定値、又は上記発電機（16）のトルク及び回転数のうちの少なくとも一方に基づいて推定された開度を示す開度情報を参照して、上記発電機（16）のトルク及び回転数の少なくとも一方を制御する発電機制御部(17)とを備えていることを特徴とする水力発電システムである。
【０００７】
第１の態様では、発電機制御部(17)が、指令値が反映される開度情報を参照して、発電機（16）のトルク及び回転数の少なくとも一方を制御するので、発電機制御部(17)に指令値を直接送信しなくても、指令値を反映した流路（2）の流量制御が可能になる。したがって、指令部（9）と発電機制御部(17)とを電気配線で接続しない構成を採用することにより、電気配線の工事費を削減できる。
【０００８】
第２の態様は、第１の態様において、上記流路（2）には、上記流路（2）を流れる流体の流量又は圧力を測定するセンサ(8)が上記電動弁（7）及び水車（15）と直列に配置され、上記指令部（9）は、上記センサ(8)の測定値に基づいて、当該センサ(8)の測定値が所望値となるように上記指令値を算出する。
【０００９】
第３の態様は、第１又は２の態様において、上記指令部（9）は、上記指令値を上記発電機制御部（17）に直接送信しない。
【００１０】
第４の態様は、第１〜３の態様の何れか１つにおいて、上記流路（2）には、上記流路（2）を流れる流体の流量又は圧力を測定するセンサ(8)が上記電動弁（7）及び水車（15）と直列に配置され、上記指令部（9）は、上記センサ（8）の測定値に基づいて、当該センサ（8）の測定値が所望値となるように上記指令値を算出し、上記発電機制御部(17)は、上記開度情報により示される開度が、０％を超える第１閾値以上であって、かつ１００％未満の第２閾値以下となるように、上記発電機（16）のトルク及び回転数の少なくとも一方を制御する。
【００１１】
第４の態様では、上記開度情報により示される開度が、０％を超える第１閾値以上となるように発電機（16）のトルク及び回転数の少なくとも一方を制御するので、流路（2）を流れる流体の流量を電動弁（7）の制御によって減らす余裕がなくなるのを防止できる。
【００１２】
また、上記開度情報により示される開度が、１００％未満の第２閾値以下となるように発電機（16）のトルク及び回転数の少なくとも一方を制御するので、流路（2）を流れる流体の流量を電動弁（7）の制御によって増やす余裕がなくなるのを防止できる。
【００１３】
第５の態様は、第４の態様において、上記センサ(8)は、上記流路（2）を流れる流体の流量を測定し、上記発電機制御部(17)は、上記開度情報により示される開度が、上記第１閾値未満である場合には、上記水車（15）の流量を減少させるようにする一方、上記開度情報により示される開度が、上記第２閾値を超える場合には、上記水車（15）の流量を増大させるように、上記発電機（16）のトルク及び回転数の少なくとも一方を制御する。
【００１４】
第５の態様では、上記開度情報により示される開度が、上記第１閾値未満である場合、発電機制御部(17)が水車（15）の流量を減少させるので、センサ（8）による測定値が減少する。これに応じて、指令部（9）が、電動弁（7）の開度を増大させるように指令値を出力する。その結果、開度情報により示される開度が増大する。
【００１５】
一方、上記開度情報により示される開度が、上記第２閾値を超える場合、発電機制御部(17)が水車（15）の流量を増大させるので、センサ（8）による測定値が増大する。これに応じて、指令部（9）が、電動弁（7）の開度を低下させるように指令値を出力する。その結果、開度情報により示される開度が低下する。
【００１６】
第６の態様は、第４の態様において、上記センサ（8）は、上記流路（2）を流れる流体の流量を測定し、上記発電機制御部（17）は、上記開度情報により示される開度が、上記第１閾値未満である場合には、上記水車（15）の有効落差を増大させるようにする一方、上記開度情報により示される開度が、上記第２閾値を超える場合には、上記水車（15）の有効落差を減少させるように、上記発電機（16）のトルク及び回転数の少なくとも一方を制御する。
【００１７】
第６の態様では、上記開度情報により示される開度が、上記第１閾値未満である場合、発電機制御部（17）が水車（15）の有効落差を増大させるので、水車（15）の流量が減少し、センサ（8）による測定値が減少する。これに応じて、指令部（9）が、電動弁（7）の開度を増大させるように指令値を出力する。その結果、開度情報により示される開度が増大する。
【００１８】
一方、上記開度情報により示される開度が、上記第２閾値を超える場合、発電機制御部（17）が水車（15）の有効落差を減少させるので、水車（15）の流量が増大し、センサ（8）による測定値が増大する。これに応じて、指令部（9）が、電動弁（7）の開度を低下させるように指令値を出力する。その結果、開度情報により示される開度が低下する。
【００１９】
第７の態様は、第１〜６の態様の何れか１つにおいて、上記流路（2）には、上記流路（2）を流れる流体の流量を測定する流量センサ（8）が上記電動弁（7）及び水車（15）と直列に配置され、上記水車（15）は、上記電動弁（7）と並列に配置され、上記開度情報に示される開度は、上記発電機（16）のトルク及び回転数のうちの少なくとも一方と、上記流量センサ（8）の測定値とに基づいて推定される。
【００２０】
第７の態様では、電動弁（7）及び水車（15）を互いに並列に接続した場合でも、電動弁（7）の状態に基づかずに開度情報を取得できる。
【００２１】
第８の態様は、第１〜７の態様の何れか１つにおいて、上記流路（2）には、上記流路（2）を流れる流体の流量を測定する流量センサ（8）が上記電動弁（7）及び水車（15）と直列に配置され、上記指令部（9）は、上記流量センサ（8）の測定値に基づいて、当該流量センサ（8）の測定値が所望値となるように上記指令値を算出し、上記発電機（16）のトルク及び回転数の少なくとも一方の変化による流量変化の速度が、上記電動弁（7）の開閉による流量変化の速度よりも遅い。
【００２２】
第８の態様では、指令部（9）による流量制御が不安定になるのを抑制できる。
【００２３】
第９の態様は、上記流路（2）には、上記流路（2）を流れる流体の圧力を測定する圧力センサ(8)が上記電動弁（7）及び水車（15）と直列に配置され、上記指令部（9）は、上記圧力センサ(8)の測定値に基づいて、上記圧力センサ(8)の測定値が所望値となるように上記指令値を算出し、上記発電機（16）のトルク及び回転数の少なくとも一方の変化による流体の圧力変化の速度が、上記電動弁（7）の開閉による流体の圧力変化の速度よりも遅い。
【００２４】
第９の態様では、指令部（9）による圧力制御が不安定になるのを抑制できる。
【００２５】
第１０の態様は、流体の流量又は圧力の指令値を出力する指令部（9）と、上記指令部（9）により出力された指令値に基づいて、開度目標値を算出する開度制御部（10）と、流体が流れる流路（2）に設けられ、かつ上記開度目標値に応じて開閉する電動弁（7）と、上記流路（2）に上記電動弁（7）と直列又は並列に配置された水車（15）と、上記水車（15）によって駆動される発電機（16）とを備えた流路制御システムにおいて、上記電動弁（7）の実際の開度の測定値、又は上記発電機（16）のトルク及び回転数のうちの少なくとも一方に基づいて推定された開度を示す開度情報を参照して、上記発電機（16）のトルク及び回転数の少なくとも一方を制御する。
【００２６】
第１０の態様では、指令値が反映される開度情報を参照して、発電機（16）のトルク及び回転数の少なくとも一方を制御するので、発電機（16）の制御部に指令値を直接送信しなくても、指令値を反映した流路(2)の流量制御が可能になる。したがって、指令部（9）と発電機（16）の制御部とを電気配線で接続しない構成を採用することにより、電気配線の工事費を削減できる。
【図面の簡単な説明】
【００２７】
【図１】図１は、実施形態１の水力発電システムを含む流路制御システムの全体概略構成を示す。
【図２】図２は、実施形態１の水力発電システムの構成を示すブロック図である。
【図３】図３は、水力発電システムの特性マップを表したグラフである。
【図４】図４は、実施形態１の変形例２の図２相当図である。
【図５】図５は、水力発電システムにおける流量と圧力の関係を示すグラフである。
【図６】図６は、実施形態２の図２相当図である。
【図７】図７は、実施形態３の図２相当図である。
【図８】図８は、５種類の電動弁の流量及び開度の関係を示すグラフである。
【図９】図９は、リニア特性を有する電動弁の流量及び開度の関係を示すグラフである。
【図１０】図１０は、イコールパーセント特性を有する電動弁の流量及び開度の関係を示すグラフである。
【図１１】図１１は、実施形態４の図２相当図である。
【発明を実施するための形態】
【００２８】
以下、本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００２９】
《実施形態１》
図１は、流路制御システム(1)を示す。この流路制御システム（1）は、上水道に適用される。流路制御システム（1）は、流路(2)を有し、流路（2）は、配水槽(3)と住宅などの水の供給対象(4)や配水池(5)との間の管路を構成している。流路（2）は、落差を有して水が流れる水路である。流路（2）の一部は、地下の配管室(6)内を通っている。
【００３０】
<流路制御システム>
流路制御システム（1）は、電動弁(7)、センサ(8)、指令部(9)、開度制御部(10)、及び本発明の実施形態１に係る水力発電システム(11)を含む。電動弁（7）及びセンサ（8）は、配管室（6）内に収容された状態で、流路（2）における配管室（6）内に収容された部分に下流側から順に互いに直列に配置されている。
【００３１】
電動弁（7）は、後述する開度目標値に応じて開閉する。電動弁（7）は、その実際の開度の測定値を示すアナログ信号を開度情報として出力する。アナログ信号は、電動弁（7）に設けられた開度センサ（図示せず）により測定され、０〜１００％のいずれかの値を示す。
【００３２】
センサ（8）は、流路（2）を流れる流体の流量を測定する。センサ（8）の測定値は、第１電気配線(12)を介して指令部（9）に送られる。
【００３３】
指令部（9）は、地上の中央操作室(13)に収容されている。指令部（9）は、センサ（8）の測定値に基づいて、センサ（8）の測定値が所望値となるように流体の流量の指令値を算出する。指令部（9）は、算出した指令値を、開度制御部（10）に出力する。
【００３４】
開度制御部（10）は、指令部（9）により算出された指令値に基づいて、開度目標値を算出する。開度目標値は、第２電気配線(14)を介して地下の配管室（6）内の電動弁（7）に送られる。
【００３５】
<水力発電システム>
水力発電システム（11）は、図２にも示すように、水車(15)と、水車（15）によって駆動される発電機(16)と、発電機制御部としての発電機コントローラ(17)と、系統連系インバータ(18)とを備えている。水力発電システム（11）は、発電した電力を電力系統(19)に供給する。電力系統（19）は、いわゆる商用電力である。
【００３６】
−水車−
水車（15）は、上記流路（2）における配管室（6）内に収容された部分に上記センサ（8）及び電動弁（7）と直列に配置され、配管室（6）内に収容されている。水車（15）は、電動弁（7）よりも下流側に配置されている。水車（15）は、遠心ポンプを用いたポンプ逆転水車である。
【００３７】
−発電機−
発電機（16）は、配管室（6）内に収容され、回転軸(20)を介して水車（15）に連結されている。水車（15）が回転すると、水車（15）によって発電機（16）が駆動される。これにより、発電機（16）が回生運転を行う。回転運転中の発電機（16）は、電力を発生する。
【００３８】
また、発電機コントローラ（17）は、配管室（6）内に収容され、電力系統（19）の電力を発電機（16）に供給可能に構成されている。電力系統（19）の電力が発電機コントローラ（17）を介して発電機（16）に供給されると、発電機（16）は力行運転を行う。力行運転中の発電機（16）は、水車（15）を回転駆動するモータとして機能する。
【００３９】
−発電機コントローラ−
発電機コントローラ（17）は、ＡＣ／ＤＣコンバータ(21)、発電電力制御部(22)、電動弁開度判定部(23)、発電機駆動制御部(24)、及びメモリディバイス（25）を有している。発電機コントローラ（17）は、目標発電電力と電動弁（7）によって出力された開度情報とを参照して、発電機（16）のトルクを制御する。目標発電電力は、図示しない制御装置から入力されるか、又は予め固定値に設定されている。
【００４０】
ＡＣ／ＤＣコンバータ（21）は、複数のスイッチング素子を備え、発電機（16）によって発電された電力（交流電力）をスイッチングして直流電力に変換する。ＡＣ／ＤＣコンバータ（21）の出力は、平滑コンデンサによって平滑化され、系統連系インバータ（18）に出力される。
【００４１】
発電電力制御部（22）は、目標発電電力に基づいて、発電機（16）の発電電力を当該目標発電電力とするようなトルクを、補正前トルクとして算出する。メモリディバイス(25)には、水車（15）の最高効率曲線における発電機(16)のトルク、回転数、及び発電電力の関係がマップとして記憶されている。発電電力制御部（22）は、メモリディバイス(25)に記憶された発電機(16)のトルク、回転数、及び発電電力の関係と、目標発電電力とに基づいて、補正前トルクを算出する。
【００４２】
電動弁開度判定部（23）は、電動弁（7）によって出力された開度情報によって示される開度が、第１閾値未満である場合には、水車（15）の流量を減少させ、かつ水車（15）の有効落差を増大させるように、発電電力制御部（22）によって算出された補正前トルクを補正し、補正後トルクとして出力する。具体的には、現在のトルクよりも補正後トルクが小さくなるように補正前トルクを補正する。一方、電動弁（7）によって出力された開度情報によって示される開度が、第２閾値を超える場合には、水車（15）の流量を増加させ、かつ水車（15）の有効落差を減少させるように、発電電力制御部（22）によって算出された補正前トルクを補正し、補正後トルクとして出力する。具体的には、現在のトルクよりも補正後トルクが大きくなるように補正前トルクを補正する。また、電動弁（7）によって出力された開度情報によって示される開度が、第１閾値以上であって、かつ第２閾値以下である場合には、発電電力制御部（22）によって算出された補正前トルクをそのまま補正後トルクとして出力する。第１閾値は、０％を超える値に設定され、第２閾値は、１００％未満の値に設定される。
【００４３】
発電機駆動制御部（24）は、電動弁開度判定部（23）によって出力された補正後トルクに基づいて、電圧指令値を算出し、この電圧指令値に基づいてＡＣ／ＤＣコンバータ（21）のスイッチング素子を制御する。
【００４４】
上述のような電動弁開度判定部（23）による補正後トルクの算出動作は、所定の周期毎に行われる。上記周期は、発電機（16）のトルクの変化による流量変化の速度が所定の設定速度よりも遅くなるように設定される。所定の設定速度として、電動弁（7）の開閉による流量変化の最低速度以下の速度が予めメモリディバイス（25）等に記憶されている。
【００４５】
<水力発電システム及び流路の特性 >
図３は、水車（15）の特性を示すグラフ（特性マップ(M)と呼ぶ）である。図３の縦軸は、水車（15）の有効落差(H)、横軸は、水車（15）を流れる水の流量(Q)である。有効落差（H）は、配水槽（3）の液面から流路（2）の流出端までの間の落差から、配水槽（3）の水が管路を経て流路（2）の流出端に至るまでの管路抵抗に相当する落差を減じたものである。
【００４６】
水車（15）の有効落差（H）及び流量（Q）の関係は、図３に示すシステムロスカーブ（流動抵抗特性線）(S)で表すことができる。システムロスカーブ(S)は、流量（Q）の増大に伴って有効落差（H）が減少する特性を有する。水車（15）の流量（Q）と有効落差（H）に対応する点（水車動作点）は、常にシステムロスカーブ（S）上を移動する。
【００４７】
図３の特性マップ（M）では、水車（15）における流量（Q）と有効落差（H）とに相関する特性として、発電機（16）のトルク(T)、発電機（16）の回転数（回転速度）(N)、発電機（16）の発電電力(P)が表されている。
【００４８】
特性マップ(M)では、発電機（16）のトルク(T)が０の曲線（無拘束曲線(T=0)）と、発電機（16）の回転数（N）が０又は所定の最低回転数となる曲線（動作限界曲線という）との間に、水車（15）が水流により回転可能な領域（水車領域ないし運転可能領域という）が形成される。図３において、無拘束曲線よりも左側の領域は、水車ブレーキ領域（力行領域）である。
【００４９】
水車領域において、複数の等トルク曲線は無拘束曲線に沿い、特性マップ（M）上、流量（Q）の増大に応じてトルク値（T）も増大する。また、複数の等回転速度曲線は動作限界曲線に沿い、有効落差（H）が大きくなるほど回転数（N）も上昇する。システムロスカーブ（S）上においては、流量（Q）の減少に応じてトルク値（T）が減少する。また、システムロスカーブ（S）上においては、流量（Q）の増大に応じて回転数（N）が減少する。破線で示した等発電電力曲線は下に凸な曲線であって、有効落差（H）及び流量（Q）の増大に応じて発電電力（P）も増大する。
【００５０】
以上のような特性マップ（M）の各パラメータの関係は、テーブル（数表）や、プログラム内の数式（関数）という形でメモリディバイス(25)に記憶される。従って、発電機コントローラ（40）は、特性マップ（M）で表される各パラメータの関係を利用することで、各種の演算や制御が可能である。
【００５１】
−運転動作−
流路制御システム（1）の運転動作について説明する。
【００５２】
<基本動作>
配水槽（3）の水は、流路（2）を流れる。流路（2）の水は、電動弁（7）を通過した後、水車（15）を流れる。水流によって水車（15）が回転すると発電機（16）から電力が発生する。この状態で発電機（16）は回生運転を行っている。
【００５３】
発電機（16）で発生した交流電力は、ＡＣ／ＤＣコンバータ（21）で直流電力に変換される。ＡＣ／ＤＣコンバータ（21）で変換された直流電力は、系統連系インバータ（18）で交流電力に変換され、電力系統（19）に供給される。
【００５４】
<発電機制御>
水力発電システム（11）の発電機制御について説明する。
【００５５】
まず、発電電力制御部（22）が、メモリディバイス(25)に記憶された発電機(16)のトルク、回転数、及び発電電力の関係と目標発電電力とに基づいて、発電機（16）の発電電力を当該目標発電電力とするようなトルクを、補正前トルクとして算出する。次いで、電動弁開度判定部（23）が、電動弁（7）によって出力された開度情報によって示される開度が、第１閾値未満の値と、第２閾値を超える値と、第１閾値以上であって、かつ第２閾値以下の値とのうちのいずれであるかを判定する。そして、電動弁開度判定部（23）は、電動弁（7）によって出力された開度情報によって示される開度が、第１閾値未満である場合には、水車（15）の流量を減少させ、かつ水車（15）の有効落差を増大させるように、発電電力制御部（22）によって算出された補正前トルクを補正し、補正後トルクとして出力する。具体的には、水車動作点をシステムロスカーブ(S)上を図３中矢印Ｘ１で示す方向に移動させるようにトルクが補正され、現在のトルクよりも補正後トルクが小さくなる。その後、発電機駆動制御部（24）が、電動弁開度判定部（23）によって出力された補正後トルクに基づいて、電圧指令値を算出し、この電圧指令値に基づいてＡＣ／ＤＣコンバータ（21）のスイッチング素子を制御する。これにより、水車（15）の流量が減少し、センサ（8）による測定値が減少する。また、水車（15）の有効落差が増大する。これに応じて、指令部（9）は、電動弁（7）の開度を増大させるように指令値を出力する。その結果、開度情報により示される開度も増大する。このように、開度情報により示される開度が、０％を超える第１閾値以上となるように発電機（16）のトルクを制御するので、流路（2）を流れる流体の流量を電動弁（7）の制御によって減らす余裕がなくなるのを防止できる。なお、発電機（16）が力行運転可能なので、発電機コントローラ（17）は、水車（15）の流量を０まで低減する制御が可能である。
【００５６】
一方、電動弁（7）によって出力された開度情報によって示される開度が、第２閾値を超える場合には、電動弁開度判定部（23）は、水車（15）の流量を増加させ、かつ水車（15）の有効落差を減少させるように、発電電力制御部（22）によって算出された補正前トルクを補正し、補正後トルクとして出力する。具体的には、水車動作点をシステムロスカーブ(S)上を図３中矢印Ｘ２で示す方向に移動させるようにトルクが補正され、現在のトルクよりも補正後トルクが大きくなる。その後、発電機駆動制御部（24）が、電動弁開度判定部（23）によって出力された補正後トルクに基づいて、電圧指令値を算出し、この電圧指令値に基づいてＡＣ／ＤＣコンバータ（21）のスイッチング素子を制御する。これにより、水車（15）の流量が増大し、センサ（8）による測定値が増大する。また、水車（15）の有効落差が減少する。これに応じて、指令部（9）は、電動弁（7）の開度を低下させるように指令値を出力する。その結果、開度情報により示される開度も低下する。このように、開度情報により示される開度が、１００％未満の第２閾値以下となるように発電機（16）のトルクを制御するので、流路（2）を流れる流体の流量を電動弁（7）の制御によって増やす余裕がなくなるのを防止できる。
【００５７】
また、電動弁（7）によって出力された開度情報によって示される開度が、第１閾値以上であって、かつ第２閾値以下である場合には、発電電力制御部（22）によって算出された補正前トルクをそのまま補正後トルクとして出力する。その後、発電機駆動制御部（24）が、電動弁開度判定部（23）によって出力された補正後トルクに基づいて、電圧指令値を算出し、この電圧指令値に基づいてＡＣ／ＤＣコンバータ（21）のスイッチング素子を制御する。
【００５８】
発電機（16）のトルクの変化による流量変化の速度が、電動弁（7）の開閉による流量変化の速度よりも遅いので、指令部（9）による流量制御が不安定になるのを抑制できる。
【００５９】
−実施形態１の効果−
発電機コントローラ（17）が、電動弁（7）の実際の開度の測定値、すなわち電動弁（7）の状態に基づいて特定される電動弁（7）の開度に基づいて、発電機（16）のトルクを制御するので、発電機コントローラ（17）に指令値を直接送信しなくても、指令値を反映した流路（2）の流量制御が可能になる。したがって、指令部（9）と発電機コントローラ（17）とを接続する電気配線が不要となる。したがって、指令部（9）と発電機コントローラ（17）とを接続する電気配線を保護する保護管の埋設工事や当該保護管を配管室（6）に導入するための配管室（6）の穴開け工事が不要となり、電気配線の工事費を削減できる。
【００６０】
また、発電機コントローラ（17）が、電動弁（7）の実際の開度の測定値に基づいて、発電機（16）のトルクを制御するので、電動弁（7）の実際の開度と開度目標値とが異なる場合でも、電動弁（7）の実際の開度に基づいた発電機（16）の制御を行える。
【００６１】
また、発電機（16）の状態に基づいて開度情報を算出する場合に比べ、発電機コントローラ（17）が発電機（16）の状態に基づく開度情報の算出処理をしなくてよいので、安価な演算装置で発電機コントローラ（17）の機能を実現できる。
【００６２】
−実施形態１の変形例１−
本発明の実施形態１の変形例１では、発電電力制御部（22）が、トルクを一定の周期で一定値ずつ変化させ、発電電力を最大にするトルクを山登り法により特定する。フィードバックする発電電力として、発電機（16）の出力、ＡＣ／ＤＣコンバータ（21）の出力、又は系統連系インバータ（18）の出力を使用できる。なお、発電機コントローラ（17）及びＡＣ／ＤＣコンバータ（21）に代えて、系統連系マトリクスコンバータを用いてもよい。かかる場合には、系統連系マトリクスコンバータの出力を発電電力として参照できる。発電電力制御部（22）は、この山登り法を実施する過程のトルクを補正前トルクとして出力する。
【００６３】
−実施形態１の変形例２−
図４は、本発明の実施形態１の変形例２に係る水力発電システム（11）を備えた流路制御システム（1）を示す。この変形例２では、水車（15）の下流側に圧力センサ(26)が設置されている。また、発電機コントローラ（17）に、発電電力制御部（22）に代えて二次圧力制御部(27)が設けられている。
【００６４】
二次圧力制御部（27）は、圧力センサ（26）の測定値に基づいて、圧力センサ（26）の測定値が所定の設定下限値を超えるように補正前トルクを算出する。設定下限値は、水車（15）の下流側の配水池（5）の最高水位時における圧力センサ（26）設置箇所の圧力に設定される。
【００６５】
電動弁開度判定部（23）の判定に用いる第１閾値及び第２閾値は、電動弁（7）による流量制御が可能となる範囲に設定され、例えば、第１閾値が１０％、第２閾値が９０％に設定される。
【００６６】
図５中、ΔＰ１は電動弁（7）による圧力低下の量、ΔＰ２は水車（15）による圧力低下の量を示す。
【００６７】
本変形例２によると、水車（15）の下流側の圧力（二次圧力）が所定の設定下限値を超えるように制御されるので、圧力センサ（26）よりも下流側からの水の逆流を防止できる。したがって、逆流防止のために設ける逆止弁の個数を削減できる。
【００６８】
《実施形態２》
図６は、本発明の実施形態２に係る水力発電システム（11）を備えた流路制御システム（1）を示す。本実施形態２では、流路（2）に水車（15）が電動弁（7）と並列に接続されている。
【００６９】
その他の構成は、実施形態１と同じであるので同じ構成箇所には同じ符号を付してその詳細な説明を省略する。
【００７０】
《実施形態３》
図７は、本発明の実施形態３に係る水力発電システム（11）を備えた流路制御システム（1）を示す。本実施形態３では、発電機コントローラ（17）が、ＡＣ／ＤＣコンバータ（21）、発電電力制御部（22）、電動弁開度判定部（23）、及び発電機駆動制御部（24）に加え、流量推定部(28)及び電動弁開度推定部(29)を有している。
【００７１】
また、図８は、５種類の電動弁（7）の流量及び開度の関係を例示するグラフである。このようなグラフで表される電動弁（7）の流量及び開度の関係が、メモリディバイス（25）に記憶される。
【００７２】
流量推定部（28）は、発電機（16）の現在のトルク及び回転数に基づいて、現在の水車（15）の流量を電動弁（7）の流量として推定する。かかる推定は、特性マップ（M）の各パラメータの関係に基づいて行われる。電動弁（7）と水車（15）とが、分岐箇所を介さずに直列に接続されているので、水車（15）の流量は電動弁（7）の流量とほぼ等しくなる。なお、トルク及び回転数のうちの一方が固定されている場合は、トルク及び回転数のうちの他方と、水車（15）の流量との関係を示す情報を予め記憶しておき、当該情報と、トルク及び回転数のうちの一方とに基づいて、水車（15）の流量を電動弁（7）の流量として推定してもよい。
【００７３】
電動弁開度推定部（29）は、流量推定部（28）によって推定された電動弁（7）の流量と、メモリディバイス（25）に記憶された電動弁（7）の流量及び開度の関係とに基づいて、電動弁（7）の開度を推定（特定）する。そして、推定した開度を示す情報を開度情報として出力する。
【００７４】
そして、電動弁開度判定部（23）は、電動弁開度推定部（29）によって出力された開度情報に基づいて、補正後トルクを出力する。
【００７５】
その他の構成は、実施形態１と同じであるので同じ構成箇所には同じ符号を付してその詳細な説明を省略する。
【００７６】
−実施形態３の効果−  
電動弁（7）の状態に基づかずに発電機（16）の状態に基づいて開度情報を取得できるので、電動弁（7）の状態を示す情報を電動弁（7）から発電機（16）に送信する電気配線を設けなくてもよい。したがって、電気配線のコストを削減できる。
【００７７】
−実施形態３の変形例−
実施形態３の変形例では、図７に仮想線で示すように、電動弁（7）の上流側に、流体の圧力を測定する上流側圧力センサ(30)が設置されている。電動弁（7）の下流側にも、流体の圧力を測定する下流側圧力センサ(31)が設置されている。メモリディバイス（25）には、例えば図９や図１０のようなグラフで示されるように、電動弁（7）の流量及び開度の関係が、複数種類の圧損比率ＰＲに対応して記憶されている。
【００７８】
電動弁開度推定部（29）は、上流側圧力センサ（30）の測定値と下流側圧力センサ（31）の測定値の差分に基づいて、電動弁（7）の圧損を算出する。この電動弁（7）の圧損と、電動弁（7）を含む系の全圧損とに基づいて、以下の圧損比率ＰＲを算出する。
【００７９】
ＰＲ＝（電動弁（7）の圧損）／（電動弁（7）を含む系の全圧損）
電動弁（7）を含む系の全圧損は、次の式によって表される。
【００８０】
全圧損＝電動弁（7）の圧損＋水車（15）の圧損＋配管の圧損
配管の圧損は、摩擦損失係数、配管長、配管口径、流体の密度、及び流量を用いて、ダルシー・ワイスバッハの式あるいはへーゼン・ウィリアムスの式から算出できる。
【００８１】
水車（15）の圧損（有効落差）は、発電機（16）のトルクと回転数に基づいて推定できる。なお、水車（15）の上流側及び下流側に圧力センサを設け、両圧力センサの測定値の差分を圧損として算出してもよい。
【００８２】
そして、電動弁開度推定部（29）は、流量推定部（28）によって推定された電動弁（7）の流量と、圧損比率ＰＲによって特定される電動弁（7）の流量及び開度の関係とに基づいて、電動弁（7）の開度を推定する。そして、推定した開度を示す情報を開度情報として出力する。
【００８３】
その他の構成は、実施形態３と同じであるのでその詳細な説明を省略する。
【００８４】
《実施形態４》
図１１は、本発明の実施形態４に係る水力発電システム（11）を備えた流路制御システム（1）を示す。本実施形態４では、流路（2）に水車（15）が電動弁（7）と並列に接続されている。センサ（8）は、電動弁（7）及び水車（15）と直列に配置されている。
【００８５】
流量推定部（28）は、発電機（16）の状態と、センサ（8）の測定値とに基づいて、電動弁（7）の流量を推定する。具体的には、まず、発電機（16）の現在のトルク及び回転数に基づいて、現在の水車（15）の流量を推定する。そして、センサ（8）の測定値に示される流量から現在の水車（15）の流量を減算し、減算結果を電動弁（7）の流量として推定する。
【００８６】
その他の構成は、実施形態３と同じであるので同じ構成箇所には同じ符号を付してその詳細な説明を省略する。
【００８７】
《その他の実施形態》
上記実施形態については、以下のような構成としてもよい。
【００８８】
上記実施形態１〜４及び全ての変形例では、発電機コントローラ（17）が発電機（16）のトルクを制御したが、発電機（16）の回転数を制御するようにしてもよい。具体的には、発電機コントローラ（17）が、開度情報によって示される開度が、第１閾値未満である場合には、水車（15）の流量を減少させるようにする一方、開度情報によって示される開度が、第２閾値を超える場合には、水車（15）の流量を増加させるように、発電機（16）の回転数を制御するようにしてもよい。また、発電機コントローラ（17）が発電機（16）のトルク及び回転数の両方を制御するようにしてもよい。
【００８９】
また、実施形態１〜４及び全ての変形例において、センサ（8）が流量に代えて圧力を測定し、指令部（9）が、当該センサ（8）の測定値に基づいて、センサ（8）の測定値が所望値となるように流体の圧力の指令値を算出し、開度制御部（10）が、当該圧力の指令値に基づいて、開度目標値を算出するようにしてもよい。かかる場合、発電機（16）のトルク及び回転数の少なくとも一方の変化による流体の圧力変化の速度が、電動弁（7）の開閉による流体の圧力変化の速度よりも遅くなるように発電機（16）のトルク及び回転数の少なくとも一方を制御することにより、指令部（9）による圧力制御が不安定になるのを抑制できる。
【００９０】
また、上記実施形態１，２及び実施形態１の変形例１，２では、開度情報をアナログ信号としたが、全開リミットスイッチ、全閉リミットスイッチ、中間リミットスイッチ等の状態を示すデジタル信号としてもよい。
【００９１】
また、上記実施形態１，２及び実施形態１の変形例１，２において、開度目標値を示す情報が、開度情報として開度制御部（10）から発電機コントローラ（17）に入力されるようにしてもよい。
【００９２】
上記実施形態１〜４及び全ての変形例では、電動弁開度判定部（23）による補正後トルクの算出動作の周期を予め設定したが、電動弁開度判定部（23）が算出するようにしてもよい。
【００９３】
周期を算出するには、まず、開度情報に示される開度（＝ｘ）と、図８のようなグラフで表される電動弁（7）の流量（＝Ｑ）及び開度の関係とに基づいて、ｄＱ／ｄｘを算出する。そして、このｄＱ／ｄｘと、予め設定された電動弁（7）の開閉速度（＝ｄｘ／ｄｔ）とに基づいて、電動弁（7）の開閉による流量変化の速度（＝ｄＱ／ｄｔ）を算出する。なお、電動弁（7）の開閉速度（＝ｄｘ／ｄｔ）は、例えば電動弁（7）の仕様で規定された開閉時間に基づいて算出される。そして、発電機（16）のトルクの変化による流量変化の速度が、算出したｄＱ／ｄｔよりも遅くなるように、補正後トルクの算出動作の周期を算出する。
【００９４】
なお、電動弁（7）の差圧が変化する場合には、メモリディバイス（25）に、例えば図９や図１０のようなグラフで示されるように、電動弁（7）の流量及び開度の関係を、複数種類の圧損比率ＰＲに対応して記憶しておいてもよい。そして、電動弁（7）の上流及び下流に圧力センサを設置し、両圧力センサの測定値の差分に基づいて、圧損比率ＰＲを算出し、開度情報に示される開度（＝ｘ）と、圧損比率ＰＲによって特定される電動弁（7）の流量及び開度の関係とに基づいて、ｄＱ／ｄｘを算出するようにしてもよい。
【００９５】
また、上記実施形態１〜４及び全ての変形例において、電動弁（7）とは別のバイパス用電動弁を、水車（15）と並列に接続し、バイパス用電動弁の開閉信号を、開度情報に基づいて制御してもよい。かかる場合、バイパス用電動弁の開閉による流量変化の速度が電動弁（7）の開閉による流量変化の速度よりも遅くなるようにバイパス用電動弁の開閉信号を制御することにより、指令部（9）による流量制御が不安定になるのを抑制できる。
【００９６】
また、実施形態３では、発電機コントローラ（17）が、電動弁（7）の開度を、発電機（16）の現在のトルク及び回転数に基づいて推定したが、電動弁（7）の落差とセンサ（8）の測定値とに基づいて推定してもよい。かかる推定は、電動弁（7）の落差、流量及び開度の関係を示す予め記憶した情報を参照することにより行える。電動弁（7）の落差は、上流側圧力センサ（30）の測定値と下流側圧力センサ（31）の測定値の差分に基づいて算出できる。
【００９７】
また、実施形態４では、発電機コントローラ（17）が、電動弁（7）の開度を、発電機（16）の現在のトルク及び回転数とセンサ（8）の測定値とに基づいて推定したが、電動弁（7）の落差及び流量に基づいて推定してもよい。電動弁（7）の流量は、センサ（8）とは別に設けた電動弁（7）の流量測定用の電動弁用センサにより取得してもよいし、センサ（8）の測定値から水車（15）の流量を減算することにより取得してもよい。水車（15）の流量は、発電機（16）の状態（トルク及び回転数）に基づいて推定できる。
【００９８】
また、上記実施形態１〜４及び全ての変形例では、ＡＣ／ＤＣコンバータ（21）の出力を系統連系インバータ（18）に出力したが、直流バス又は二次電池に出力してもよい。また、ＡＣ／ＤＣコンバータ（21）及び系統連系インバータ（18）に代えて、マトリクスコンバータ又はサイクロコンバータを用いてもよい。
【産業上の利用可能性】
【００９９】
以上説明したように、本発明は、水力発電システム及び発電機制御方法について有用である。
【符号の説明】
【０１００】
１  流路制御システム
２  流路
７  電動弁
８  センサ（流量センサ、圧力センサ）
９  指令部
１０  開度制御部
１１  水力発電システム
１５  水車
１６  発電機
１７  発電機コントローラ（発電機制御部）
【要約】
【課題】電気配線の工事費を削減する。
【解決手段】流体の流量又は圧力の指令値を出力する指令部（9）と、指令部（9）により出力された指令値に基づいて、開度目標値を算出する開度制御部（10）と、流体が流れる流路（2）に設けられ、かつ開度目標値に応じて開閉する電動弁（7）とを備えた流路制御システム(1)に設けられる水力発電システム（11）に、流路（2）に電動弁（7）と直列又は並列に配置された水車（15）と、水車（15）によって駆動される発電機（16）と、電動弁（7）の実際の開度の測定値を示す開度情報を参照して、発電機（16）のトルク又は回転数を制御する発電機コントローラ（17）とを設ける。
【選択図】図１【図１】
0006849034.tif 000002
【図２】
0006849034.tif 000003
【図３】
0006849034.tif 000004
【図４】
0006849034.tif 000005
【図５】
0006849034.tif 000006
【図６】
0006849034.tif 000007
【図７】
0006849034.tif 000008
【図８】
0006849034.tif 000009
【図９】
0006849034.tif 000010
【図１０】
0006849034.tif 000011
【図１１】
0006849034.tif 000012